(57)【要約】【課題】時間長が十分に長い入力信号の信号波形に対する波形判定を正確に行う。【解決手段】信号波形および信号波形用の判定エリア（Ａ１〜Ａ６のいずれか）を表示させて判定エリア内から信号波形が外れているか否かの波形判定を実行する制御部と、メモリ領域Ｍｗ１〜Ｍｗ６を有すると共にエリアデータＤａ１〜Ｄａ６を記憶するＲＡＭ６を備え、制御部は、所定時間分を１単位とするブロックデータＤｂ１〜Ｄｂ６に波形データをブロック化して各ブロックデータＤｂ１〜Ｄｂ６をメモリ領域Ｍｗ１〜Ｍｗ６にそれぞれ記憶させた後に、ブロックデータＤｂ１〜Ｄｂ６の少なくとも１つをＲＡＭ６から読み出してその波形データに基づく信号波形を表示させると共にエリアデータＤａ１〜Ｄａ６の少なくとも１つをＲＡＭ６から読み出してエリアデータに基づく判定エリアＡ１〜Ａ６の少なくとも１つを表示させて波形判定を実行する。【選択図】図４
2005189063.tif 000002
【特許請求の範囲】
【請求項１】
入力信号をデータ化した波形データに基づく信号波形および当該信号波形用の判定エリアを表示部の表示画面に表示させて当該判定エリア内から当該信号波形が外れているか否かの波形判定および当該判定エリア内に当該信号波形が含まれているか否かの波形判定の少なくとも一方を実行する制御部を備えた波形判定装置であって、
前記波形データを記憶する記憶領域を複数有すると共に複数の前記判定エリアについての各エリアデータを記憶する記憶部を備え、
前記制御部は、所定時間分を１単位とするブロックデータに前記波形データをブロック化して当該各ブロックデータを前記各記憶領域にそれぞれ記憶させた後に、少なくとも１つの前記ブロックデータを前記記憶部から読み出してその波形データに基づく前記信号波形を前記表示画面に表示させると共に前記エリアデータを前記記憶部から読み出して当該エリアデータに基づく前記判定エリアを前記表示画面に表示させて前記少なくとも一方の波形判定を実行する波形判定装置。
【請求項２】
前記制御部は、前記各ブロックデータ内の前記波形データが時間的に連続するように前記波形データをブロック化する請求項１記載の波形判定装置。
【請求項３】
前記制御部は、前記入力信号が所定のトリガ条件を満たす度に当該トリガ条件を満たした時点から前記所定時間分の前記波形データを前記ブロックデータにブロック化する請求項１記載の波形判定装置。
【請求項４】
前記少なくとも１つのブロックデータについての選択操作が可能な操作部を備え、
前記制御部は、前記選択されたブロックデータの前記波形データに基づく前記信号波形を前記表示画面に表示させて前記波形判定を実行する請求項１から３のいずれかに記載の波形判定装置。
【請求項５】
前記操作部は、前記各判定エリアの少なくとも１つを選択する選択操作が可能に構成され、
前記制御部は、前記選択された判定エリアを前記表示画面に表示させて前記波形判定を実行する請求項１から４のいずれかに記載の波形判定装置。
【請求項６】
前記制御部は、複数の前記ブロックデータの前記波形データにそれぞれ基づく前記各信号波形に対して前記波形判定を実行すると共に当該各波形判定の判定結果に基づいて前記入力信号についての合否判定を実行する請求項１から５のいずれかに記載の波形判定装置。
【発明の詳細な説明】
【技術分野】
【０００１】
本発明は、入力信号の信号波形を表示画面に表示させると共に判定エリア内から信号波形が外れているか否かの波形判定および判定エリア内に信号波形が含まれているか否かの波形判定の少なくとも一方を実行する波形判定装置に関するものである。
【背景技術】
【０００２】
この種の波形判定装置として、特開平６−２４９６８２号公報に開示された波形判定装置が知られている。この波形判定装置は、ＣＰＵと、入力信号の信号波形（被判定波形）をディジタルの波形データに変換するＡ／Ｄ変換回路と、制御用のプログラムが格納されているＲＯＭと、被判定波形データなどを記憶するＲＡＭと、判定エリア（判定波形）などが表示されるディスプレイと、ディスプレイの表示画面上の波形データが記憶されるＶ−ＲＡＭと、操作部とを備え、操作部を操作することにより、ディスプレイに判定エリアおよび入力信号の信号波形などが表示されるように構成されている。この場合、表示画面に映し出されている判定エリアのデータはＶ−ＲＡＭに保持されている。
【特許文献１】特開平６−２４９６８２号公報（第２−３頁）
【発明の開示】
【発明が解決しようとする課題】
【０００３】
ところが、従来の波形判定装置には、以下のような課題がある。すなわち、この波形判定装置では、ディスプレイの表示画面に映し出される判定エリアのデータがＶ−ＲＡＭに保持されている。また、この判定エリアのデータは、ディスプレイの表示画面に映し出される入力信号の信号波形に対応させて作成される。このため、この波形判定装置では、例えば、入力信号が長時間に亘るときのように入力信号の波形データが増大してこのままでは信号波形全体をディスプレイの表示画面内に表示し切れないときには、所定時間分の波形データを入力した時点で信号波形を表示させてその信号波形について波形判定する波形判定を繰り返して実行する方法が採用されている。しかしながら、波形判定には所定の処理時間を必要とするため、この処理時間がデッドタイムとなって波形の取りこぼしが発生することがある。したがって、この波形判定装置には、入力信号が長時間に亘るときに、正確な波形判定を行うのがやや困難になるおそれがあるという課題が存在する。この場合、入力信号の信号波形を表示画面内に表示し得るデータ量まで波形データを圧縮する方法、およびＡ／Ｄ変換回路のサンプリング周期を予め遅くして入力信号の信号波形を表示画面内に表示し得るデータ量に抑制する方法のいずれかを採用する必要がある。しかしながら、前者の方法では、時間軸（横軸）方向において波形が潰れるために、信号波形の微妙な変化を表示することが困難となる。一方、後者の方法では、時間軸方向に対する分解能が低下する結果、入力信号の信号波形に生じた突発的な変化を取りこぼす可能性がある。したがって、これらの方法を採用するのは困難である。
【０００４】
本発明は、かかる課題に鑑みてなされたものであり、時間長が十分に長い入力信号の信号波形に対する波形判定を正確に行い得る波形判定装置を提供することを主目的とする。
【課題を解決するための手段】
【０００５】
上記目的を達成すべく請求項１記載の波形判定装置は、入力信号をデータ化した波形データに基づく信号波形および当該信号波形用の判定エリアを表示部の表示画面に表示させて当該判定エリア内から当該信号波形が外れているか否かの波形判定および当該判定エリア内に当該信号波形が含まれているか否かの波形判定の少なくとも一方を実行する制御部を備えた波形判定装置であって、前記波形データを記憶する記憶領域を複数有すると共に複数の前記判定エリアについての各エリアデータを記憶する記憶部を備え、前記制御部は、所定時間分を１単位とするブロックデータに前記波形データをブロック化して当該各ブロックデータを前記各記憶領域にそれぞれ記憶させた後に、少なくとも１つの前記ブロックデータを前記記憶部から読み出してその波形データに基づく前記信号波形を前記表示画面に表示させると共に前記エリアデータを前記記憶部から読み出して当該エリアデータに基づく前記判定エリアを前記表示画面に表示させて前記少なくとも一方の波形判定を実行する。
【０００６】
また、請求項２記載の波形判定装置は、請求項１記載の波形判定装置において、前記制御部は、前記各ブロックデータ内の前記波形データが時間的に連続するように前記波形データをブロック化する。
【０００７】
また、請求項３記載の波形判定装置は、請求項１記載の波形判定装置において、前記制御部は、前記入力信号が所定のトリガ条件を満たす度に当該トリガ条件を満たした時点から前記所定時間分の前記波形データを前記ブロックデータにブロック化する。
【０００８】
また、請求項４記載の波形判定装置は、請求項１から３のいずれかに記載の波形判定装置において、前記少なくとも１つのブロックデータについての選択操作が可能な操作部を備え、前記制御部は、前記選択されたブロックデータの前記波形データに基づく前記信号波形を前記表示画面に表示させて前記波形判定を実行する。
【０００９】
また、請求項５記載の波形判定装置は、請求項１から４のいずれかに記載の波形判定装置において、前記操作部は、前記各判定エリアの少なくとも１つを選択する選択操作が可能に構成され、前記制御部は、前記選択された判定エリアを前記表示画面に表示させて前記波形判定を実行する。
【００１０】
また、請求項６記載の波形判定装置は、請求項１から５のいずれかに記載の波形判定装置において、前記制御部は、複数の前記ブロックデータの前記波形データにそれぞれ基づく前記各信号波形に対して前記波形判定を実行すると共に当該各波形判定の判定結果に基づいて前記入力信号についての合否判定を実行する。
【発明の効果】
【００１１】
請求項１記載の波形判定装置では、制御部が、波形データをブロックデータにブロック化して各ブロックデータを各記憶領域にそれぞれ記憶させた後に波形判定を実行する。このため、入力信号が長時間に亘ったとしても判定対象の波形データの全てをブロックデータとして記憶部に記憶させることができ、記憶させているブロックデータに基づいて波形判定をその後に実施することができる。したがって、所定時間分の波形データを入力した段階で波形判定を行う従来の波形判定装置とは異なり、波形判定の処理時間がデッドタイムとなって波形の取りこぼしが発生する事態を確実に防止することができる結果、時間長が十分に長い入力信号に対する波形判定を正確に行うことができる。
【００１２】
また、請求項２記載の波形判定装置では、制御部が、各ブロックデータ内の波形データが時間的に連続するようにブロック化する。このため、例えば、各ブロックデータに基づいく各信号波形を連続するようにして表示させることで、入力信号の波形全体の様子を容易に把握させることができる。
【００１３】
また、請求項３記載の波形判定装置では、制御部が、トリガ条件を満たした時点（トリガポイント）から所定時間分の波形データを入力信号が所定のトリガ条件を満たす度にブロック化する。このため、例えば、不定期に繰り返し出力される信号などに対する波形判定を長時間に亘って行う際においても、トリガポイントが到来する度に波形データを確実に記憶部に記憶させることができる。したがって、例えば、トリガポイントが到来する度に波形判定を実行する構成とは異なり、波形判定の処理時間がデッドタイムとなって波形の取りこぼしが発生する事態を確実に防止することができる結果、不定期に繰り返し出力されかつ時間長が十分に長い入力信号に対する波形判定を正確に行うことができる。
【００１４】
また、請求項４記載の波形判定装置では、少なくとも１つのブロックデータについての選択操作が可能な操作部を備え、制御部が、選択されたブロックデータの波形データに基づく信号波形を表示画面に表示させて波形判定を実行する。このため、ブロックデータを任意に選択してその信号波形に対してのみ波形判定を行うことができる。したがって、例えば、起動時から所定時間経過した後に定常状態となる機器において、定常状態での入力信号のみに対して正確かつ容易に波形判定を行うことができる。
【００１５】
また、請求項５記載の波形判定装置では、操作部が複数の判定エリアの少なくとも１つを選択する選択操作が可能に構成され、制御部が選択された判定エリアを表示画面に表示させて波形判定を実行する。このため、各信号波形に適した判定エリアを任意に選択して用いることができるため、例えば、時間経過に伴って振幅が変化する交流信号の信号波形に対しても波形判定を正確に行うことができる。
【００１６】
また、請求項６記載の波形判定装置では、制御部が、複数のブロックデータの波形データに基づく信号波形に対して波形判定を実行すると共に各波形判定の判定結果に基づいて入力信号についての合否判定を実行する。このため、合否判定基準を任意に規定して合否判定を実行させることができる。
【発明を実施するための最良の形態】
【００１７】
以下、添付図面を参照して、本発明に係る波形判定装置について説明する。
【００１８】
最初に、図１を参照して、波形判定装置１の構成について説明する。
【００１９】
同図に示すように、波形判定装置１は、測定部２、表示部３、操作部４、制御部５、ＲＡＭ６およびＲＯＭ７を備えて構成されている。測定部２は、例えば図２に示す入力信号Ｓ１を所定のサンプリング周期でアナログ−ディジタル変換して波形データＤｗを生成すると共に、その波形データＤｗを制御部５に出力する。表示部３は、ＬＣＤパネルまたはブラウン管（ＣＲＴ）で構成され、制御部５の制御下で、例えば、図５に示すように、信号波形Ｗ１〜Ｗ６（以下、区別しないときには「信号波形Ｗ」ともいう）および判定エリアＡ１〜Ａ６（以下、区別しないときには「判定エリアＡ」ともいう）を表示画面１１に表示する。操作部４は、例えば、入力信号の記録時間を設定する設定キー、表示画面１１に表示されている各信号波形Ｗの中から所望の信号波形Ｗ（後述する各ブロックデータＤｂの少なくとも１つ）を選択するための信号波形選択キー、および表示画面１１に表示されている各判定エリアＡの中から信号波形Ｗを波形判定する際に用いる判定エリアＡを選択するための判定エリア選択キーなどの各種操作キー（いずれも図示せず）を備えて構成されている。
【００２０】
制御部５は、測定部２から出力された波形データＤｗをＲＡＭ６に記憶させる記憶制御を実行する。この場合、制御部５は、図４に示すように、測定部２から出力された波形データＤｗを所定の時間Ｔ１（例えば０．１秒）分を１単位とするブロックデータＤｂ１，Ｄｂ２・・（以下、区別しないときには「ブロックデータＤｂ」ともいう）に連続的に（各ブロックデータＤｂ内の各波形データＤｗが時間的に連続するように）ブロック化してＲＡＭ６におけるブロックデータＤｂ（波形データＤｗ）用の複数のメモリ領域（記憶領域）Ｍｗ１，Ｍｗ２・・に順次記憶させる。また、制御部５は、操作部４のキー操作に従い、ＲＡＭ６に記憶されているブロックデータＤｂを読み出して、読み出したブロックデータＤｂに基づく信号波形Ｗを判定エリアＡと共に表示部３に表示させる。また、制御部５は、表示部３に表示させている信号波形Ｗが判定エリアＡ内から外れているか否かの波形判定および判定エリアＡ内に含まれているか否かの波形判定の少なくとも一方を実行する。具体的には、この波形判定装置１では、操作部４の設定操作に応じて、表示部３に表示させている信号波形Ｗの少なくとも一部が判定エリアＡ内から外れているか否かの波形判定、信号波形Ｗの全部が判定エリアＡを外れているか否かの波形判定、信号波形Ｗの少なくとも一部が判定エリアＡ内に含まれているか否かの波形判定、および信号波形Ｗの全部が判定エリアＡ内に含まれているか否かの波形判定の少なくとも１つを実行する。以下、一例として、制御部５が信号波形Ｗの少なくとも一部が判定エリアＡを外れているか否かの波形判定を実行する例について説明する。
【００２１】
ＲＡＭ６は、本発明における記憶部に相当し、図４に示すように、ブロックデータＤｂ１，Ｄｂ２・・をそれぞれ個別に記憶（格納）するブロックデータＤｂ用の複数の記憶領域（この例では、メモリ領域Ｍｗ１，Ｍｗ２・・、以下、区別しないときには「メモリ領域Ｍｗ」ともいう。）、および複数の判定エリアＡ１，Ａ２・・についての各エリアデータＤａ１，Ｄａ２・・（以下、区別しないときには「エリアデータＤａ」ともいう）が予め個別に記憶されているエリアデータ用のメモリ領域Ｍａ１，Ｍａ２・・（以下、区別しないときには「メモリ領域Ｍａ」ともいう）を備えて構成されている。この場合、各エリアデータＤａ１，Ｄａ２・・によって特定される判定エリアＡ１，Ａ２・・は、図３に示すようなノイズが重畳していない正常状態の入力信号Ｓ０の信号波形を時間軸（横軸）に沿って時間Ｔ１毎に分割した各信号波形Ｗ１，Ｗ２・・がその範囲内に包含されるように予め規定されている。ＲＯＭ７は、制御部５の動作プログラムなどを記憶する。
【００２２】
次に、波形判定装置１の全体的な動作について説明する。
【００２３】
まず、判定対象の入力信号（例えば、図２に示す入力信号Ｓ１）を記録する記録時間を操作部４のキー操作によって例えば０．６秒に設定する。次いで、制御部５に対してトリガ測定による入力信号Ｓ１の記録を実行させる。この際に、制御部５は、測定部２から出力された入力信号Ｓ１についての波形データＤｗのレベルを監視して、予め設定されたトリガ条件（一例として、波形データＤｗのレベルが所定の設定値を上向きで横切るという条件）を満たした時点から、設定された記録時間を経過する時点までに出力された波形データＤｗを所定の時間Ｔ１（例えば０．１秒）分を１単位とするブロックデータＤｂにブロック化してＲＡＭ６のメモリ領域Ｍｗに記憶させる記憶処理を繰り返して実行する。この例では、上記のように記録時間が０．６秒に設定され、波形データＤｗを分割する時間Ｔ１が０．１秒に規定されているため、制御部５は、合計６回の記憶処理を実行する。これにより、図４に示すように、ＲＡＭ６のメモリ領域Ｍｗ１〜Ｍｗ６にブロックデータＤｂ１〜Ｄｂ６がそれぞれ記憶される。この場合、制御部５が信号波形Ｗの表示や波形判定に先立って、各ブロックデータＤｂが時間的に連続するようにブロック化してＲＡＭ６に記憶させるため、波形の取りこぼしが確実に防止される。なお、記録時間の設定に関しては、各ブロック毎に記録時間（例えば各ブロック０．１秒の記録時間）を設定する構成を採用することもできる。この構成では、例えば、ＲＡＭ６に６つのメモリ領域Ｍｗ１〜Ｍｗ６が形成されているときには、各ブロック０．１秒の記録時間で合計６回の波形記録を実行することとなる。
【００２４】
続いて、制御部５は、ブロックデータＤｂ１〜Ｄｂ６およびエリアデータＤａ１〜Ｄａ６をＲＡＭ６から読み出して、図５に示すように、各ブロックデータＤｂ１〜Ｄｂ６に基づく信号波形Ｗ１〜Ｗ６、およびエリアデータＤａ１〜Ｄａ６に基づく判定エリアＡ１〜Ａ６を表示部３の表示画面１１に表示させる。次に、操作部４の信号波形選択キーを操作して、波形判定の対象として例えばブロックの２番目（信号波形Ｗ２に対応するブロック）を選択する。次いで、操作部４の判定エリア選択キーを操作して、各ブロック（この例では、信号波形Ｗ２に対応するブロック）を波形判定するための判定エリアＡとして例えば判定エリアＡ２を選択する。以下、同様にして操作部４を操作することにより、波形判定の対象としてブロックの３番目〜６番目（信号波形Ｗ３〜Ｗ６に対応するブロック）を順次選択し、その際に、各ブロックの３番目〜６番目をそれぞれ波形判定するための判定エリアＡとして判定エリアＡ３〜Ａ６も順次選択する。
【００２５】
これに応じて、制御部５は、図６に示すように、ブロックの２番目に対応する信号波形Ｗ２および判定エリアＡ２を重ね合わせて表示部３の表示画面１１に表示させると共に、信号波形Ｗ２に対する波形判定を実行する。この波形判定の処理では、制御部５は、ブロックデータＤｂ内の波形データＤｗに基づいて生成した波形表示用データと、エリアデータＤａに基づいて生成したエリア表示用データとを比較することにより、信号波形Ｗ２が判定エリアＡ２内から外れているか否かを判定する。この際に、同図に示すように、信号波形Ｗ２が判定エリアＡ２内から外れていないため、制御部５は、信号波形Ｗ２を波形良好と判定してその判定結果をＲＡＭ６に記憶させる。続いて、制御部５は、図７に示すように、信号波形Ｗ３および判定エリアＡ３を重ね合わせて表示画面１１に表示させると共に、信号波形Ｗ３に対する波形判定を実行する。この際に、同図に示すように、信号波形Ｗ３の一部が判定エリアＡ３の範囲を外れているため、制御部５は、信号波形Ｗ３を波形不良と判定してその判定結果をＲＡＭ６に記憶させる。以下、同様にして、制御部５は、各信号波形Ｗ４〜Ｗ６に対する波形判定を実行し、例えば、各信号波形Ｗ４〜Ｗ６をそれぞれ波形良好と判定してその判定結果をＲＡＭ６に記憶させる。
【００２６】
次いで、制御部５は、ＲＡＭ６に記憶させた判定結果に基づいて入力信号Ｓ１の合否を判定する。この場合、例えば、波形判定における判定結果の４／５以上が波形良好のときに入力信号Ｓ１を「合格」とするように合否判定基準を規定しているときには、制御部５は、入力信号Ｓ１を「合格」と判定してその判定結果を示す例えば「ＯＫ」の文字を表示画面１１内に表示させる。これにより、入力信号Ｓ１の合格が報知される。
【００２７】
このように、この波形判定装置１によれば、制御部５が、波形データＤｗを所定の時間Ｔ１分を１単位とするブロックデータＤｂにブロック化してＲＡＭ６の各メモリ領域Ｍｗにそれぞれ記憶させた後に波形判定を実行することにより、入力信号Ｓ１が長時間に亘ったとしても判定対象の波形データＤｗの全てをＲＡＭ６に記憶させることができ、記憶させている波形データＤｗに基づいて波形判定をその後に実施することができるため、所定時間分の波形データＤｗを入力した時点で波形判定を行う従来の波形判定装置とは異なり、波形判定の処理時間がデッドタイムとなって波形の取りこぼしが発生する事態を確実に防止することができる結果、時間長が十分に長い入力信号Ｓ１に対する波形判定を正確に行うことができる。また、制御部５が、各ブロックデータＤｂ内の波形データＤｗが時間的に連続するようにブロック化することにより、各ブロックデータＤｂに基づく各信号波形Ｗを連続するようにして表示させることで、入力信号Ｓ１の波形全体の様子を容易に把握させることができる。
【００２８】
また、複数のブロックデータＤｂ（つまり、複数の信号波形Ｗ）のうちの少なくとも１つを選択する信号波形選択操作を可能に操作部４を構成し、制御部５が、信号波形選択操作によって選択された信号波形Ｗを表示画面１１に表示させて波形判定を実行することにより、例えば、波形データＤｗ（ブロックデータＤｂ）の記憶処理後において、所定の時間が経過した時点からの信号波形Ｗを任意に選択してその信号波形Ｗに対してのみ波形判定を行うことができる。したがって、例えば、起動時から所定時間を経過した後に定常状態となる機器において、定常状態での入力信号の信号波形のみに対して正確かつ容易に波形判定を行うことができる。
【００２９】
また、複数の判定エリアＡのうちの少なくとも１つを選択する判定エリア選択操作を可能に操作部４を構成し、制御部５が、判定エリア選択操作によって選択された判定エリアＡを表示画面１１に表示させて波形判定を実行することにより、各信号波形Ｗに適した判定エリアＡを任意に選択して用いることができるため、例えば、時間経過に伴って振幅が変化する交流信号の信号波形に対しても波形判定を正確に行うことができる。
【００３０】
また、制御部５が、複数のブロックデータＤｂの波形データＤｗに基づく信号波形Ｗ（各ブロック）に対して波形判定を実行すると共に各波形判定の判定結果に基づいて入力信号Ｓ１についての合否判定を実行することにより、合否判定基準を任意に規定して合否判定を実行させることができる。
【００３１】
なお、本発明は、上記した構成に限定されない。例えば、入力信号Ｓ１の記録時間を０．６秒（つまり記憶処理の回数を６回）に設定した例について上記したが、記録時間としては、これに限定されず、任意に設定することができる。また、波形判定の対象として、信号波形Ｗ１〜Ｗ６のうちの信号波形Ｗ２〜Ｗ６を選択した例について上記したが、記録した各ブロックデータＤｂに基づく各信号波形Ｗのうちの少なくとも１つ以上の信号波形Ｗを波形判定の対象として任意に選択することができる。また、操作部４を用いて判定エリアＡを選択する例について上記したが、各信号波形Ｗと各判定エリアＡとを予め固定的に対応付けた構成を採用することもできる。
【００３２】
また、記憶処理の際に、制御部５が、測定部２から出力された波形データＤｗを連続的にブロック化してＲＡＭ６に記憶させる例について上記したが、入力信号がトリガ条件を満たす度に、そのトリガ条件を満たした時点から所定時間分の波形データＤｗをブロックデータＤｂにブロック化してＲＡＭ６に記憶させる構成を採用することもできる。この構成では、操作部４をキー操作して、例えば、所望のトリガ条件（一例として、波形データＤｗのレベルが所定の設定値を上向きで横切るという条件）と、波形データＤｗをブロック化する所定の時間Ｔ２（図８参照）とを設定する。次に、例えば同図に示す入力信号Ｓ２を入力して制御部５に対してトリガ測定による記録を実行させる。この際に、制御部５は、測定部２から出力された入力信号Ｓ２についての波形データＤｗのレベルを監視して、同図に示すように、入力信号Ｓ２がトリガ条件を満たしたときに、その時点（トリガポイント）から時間Ｔ２の分の波形データＤｗをブロックデータＤｂにブロック化してＲＡＭ６のメモリ領域Ｍｗに記憶させる記憶処理をトリガポイントが到来する度に繰り返して実行する。これにより、ＲＡＭ６の各メモリ領域Ｍｗに図８に示すブロックデータＤｂ１１〜Ｄｂ１６がそれぞれ記憶される。
【００３３】
次いで、制御部５は、各ブロックデータＤｂ１１〜Ｄｂ１６に基づく各信号波形Ｗ１１〜Ｗ１６と、入力信号Ｓ２用の各判定エリアＡ１１〜Ａ１６（図８参照）とを表示部３の表示画面１１に表示させる。続いて、制御部５は、波形判定対象のブロック（信号波形Ｗ）、およびそのブロックに用いる（そのブロックの信号波形Ｗを波形判定するための）判定エリアＡが選択された際には、図９に示すように、選択されたブロックの信号波形Ｗ（例えば、同図に示す信号波形Ｗ１３）および判定エリアＡ（例えば、同図に示す判定エリアＡ１３）を重ね合わせて表示部３の表示画面１１に表示させると共に、上記と同様の波形判定を実行する。次に、制御部５は、波形判定における各判定結果に基づいて入力信号Ｓ２の合否を判定する。
【００３４】
このように、この構成においても、入力信号Ｓ２における判定対象部分についての波形データＤｗをブロック化してその全てをＲＡＭ６に記憶させることができ、記憶させているブロックデータＤｂに基づいて波形判定をその後に実施することができる。このため、例えば、不定期に繰り返し出力される信号などに対する波形判定を長時間に亘って行う際においても、トリガポイントが到来する度に各ブロックデータＤｂ１１〜Ｄｂ１６（波形データＤｗ）を確実にＲＡＭ６に記憶させることができる。したがって、例えば、トリガポイントが到来する度に波形判定を実行する構成とは異なり、波形判定の処理時間がデッドタイムとなって波形の取りこぼしが発生する事態を確実に防止することができる結果、例えば不定期に繰り返し出力されかつ時間長が十分に長い入力信号Ｓ２に対する波形判定を正確に行うことができる。
【図面の簡単な説明】
【００３５】
【図１】波形判定装置１の構成を示すブロック図である。
【図２】入力信号Ｓ１の信号波形を示す波形図である。
【図３】入力信号Ｓ０の信号波形と各判定エリアＡ１〜Ａ６との関係を説明するための説明図である。
【図４】ＲＡＭ６の各メモリ領域を説明するための説明図である。
【図５】信号波形Ｗ１〜Ｗ６および判定エリアＡ１〜Ａ６を表示している表示画面１１の表示画面図である。
【図６】信号波形Ｗ２および判定エリアＡ２を表示している表示画面１１の表示画面図である。
【図７】信号波形Ｗ３および判定エリアＡ３を表示している表示画面１１の表示画面図である。
【図８】入力信号Ｓ２の信号波形と各判定エリアＡ１１〜Ａ１６との関係を説明するための説明図である。
【図９】信号波形Ｗ１３および判定エリアＡ１３を表示している表示画面１１の表示画面図である。
【符号の説明】
【００３６】
１  波形判定装置
２  測定部
３  表示部
５  制御部
６  ＲＡＭ
１１  表示画面
Ａ１〜Ａ６，Ａ１１〜Ａ１６  判定エリア
Ｄａ，Ｄａ１〜Ｄａ６  エリアデータ
Ｄｂ，Ｄｂ１〜Ｄｂ６，Ｄｂ１１〜Ｄｂ１６  ブロックデータ
Ｄｗ  波形データ
Ｍａ１〜Ｍａ６，Ｍｗ１〜Ｍｗ６  メモリ領域
Ｓ０，Ｓ１，Ｓ２  入力信号
Ｔ１，Ｔ２  時間
Ｗ１〜Ｗ６，Ｗ１１〜Ｗ１６  信号波形
【図１】
2005189063.tif 000003
【図２】
2005189063.tif 000004
【図３】
2005189063.tif 000005
【図４】
2005189063.tif 000006
【図５】
2005189063.tif 000007
【図６】
2005189063.tif 000008
【図７】
2005189063.tif 000009
【図８】
2005189063.tif 000010
【図９】
2005189063.tif 000011